(57)【特許請求の範囲】
【請求項１】
受信器の電源オフ期間を増加することができるように構成された無線データ通信システムであって、
（ａ）音声パケット又はデータパケットのパケット通信をサポートするためのアクセスポイント（ＡＰ）として働く第２ステーションに連結された第１ステーションと、
（ｂ）移動体装置（ＭＵ）にアドレス指定された音声パケットを、即座に送り出さなければならない連続覚醒モード（ＣＡＭ）パケットと、前記移動体装置（ＭＵ）が要求するまで保持することができる省電力モード（ＰＳＭ）パケットとに分類する、前記アクセスポイント（ＡＰ）に設けられた監視装置と、
（ｃ）複数のＣＡＭパケットを受信し、該複数のＣＡＭパケットの到着時間を計測し、複数のＣＡＭパケットの到着時間についての統計的分析結果に応じて、予想されるＣＡＭパケットの到着時間に基づいて、複数のＣＡＭパケットの間で受信機への電力を停止することができる安全期間を判断する、第１ステーションに設けられた計測装置と、
を備えることを特徴とする無線データ通信システム。
【請求項２】
（ｄ）前記第１ステーションが省電力ポーリング（ＰＳＰ）モードにあるとき、非音声パケットを前記アクセスポイント（ＡＰ）によってバッファリングして、前記第１ステーションによって要求されるまで保留し、その間に、前記連続覚醒モード（ＣＡＭ）パケットは第１ステーションに送信するように機能する送信装置を、前記アクセスポイント（ＡＰ）がさらに備える請求項１に記載のシステム。
【請求項３】
前記計測装置が、
（ｅ）パケットの到着間隔と結びついた「ジッタ」を測定する「ジッタ」測定装置をさらに備える請求項１に記載のシステム。
【請求項４】
（ｆ）前記計測装置に応答し、前記安全期間に基づいて、前記第１ステーションを覚醒させパケットを受信するようにする「スリープ」装置をさらに備える請求項１に記載のシステム。
【請求項５】
前記アクセスポイント及び第１ステーションが、ＩＥＥＥ８０２．１１規格のもとで作動する請求項１に記載のシステム。
【請求項６】
（ｇ）ｉ番目の実際のパケット到着時間〔ＡＩ（ｉ）］を、予想されるパケット到着間隔（Ｐ）に基づく予想されるパケット到着時間と比較する第１ステーションにおける比較装置をさらに備える請求項１に記載のシステム。
【請求項７】
（ｈ）前記第１ステーションが、省電力ポーリング（ＰＳＰ）モードの状態を、「０」すなわち使用不能、或いは使用可能であるが問題がある「１」、或いは使用可能な「２」として判断する判断装置をさらに備える請求項６に記載のシステム。
【請求項８】
（ｉ）ｉ番目の実際のパケット到着時間ＡＩ（ｉ）が予想されるパケット到着間隔Ｐに基づく予想されるパケット到着時間に接近しないときに作動し、前記ＰＳＰモードの状態が０であれば次のパケットを待ち、前記ＰＳＰモードの状態が望ましいパケット間隔を有しない「１」であれば次のパケットを待ち、前記ＰＳＰモードの状態が２すなわち使用可能であれば「電源オフ」時間をわずかな量だけ減少させる第１ステーションにおける処理装置をさらに備える請求項７に記載のシステム。
【請求項９】
（ｊ）前記実際のパケット到着時間ＡＩ（ｉ）が予想されるパケット到着間隔（Ｐ）に基づく予想されるパケット到着時間に近づかず、かつ前記省電力ポーリング（ＰＳＰ）モードの状態が２すなわち使用可能であれば、僅かな量だけ「電源オフ」時間を減少させ、前記省電力ポーリング（ＰＳＰ）モードの状態が０であれば次のパケットを待ち、或いは、前記ＰＳＰモードの状態が望ましいパケット間隔を持たず、かつ、「１」であれば次のパケットを待つステップをさらに備える請求項１に記載の方法。
【請求項１０】
（ｋ）前記実際のパケット到着時間ＡＩ（ｉ）が予想されるパケット到着間隔（Ｐ）に基づく予想されるパケット到着時間に近づくか、或いは前記省電力ポーリング（ＰＳＰ）モードの状態が１又は２である場合、次のパケットの到着を待つステップをさらに備える請求項９に記載の方法。
【請求項１１】
前記ＰＳＰの状態が０であるとき、前記延長した電源オフ時間が、〔Ｐ−標準偏差（ＡＩ（ｉ）、ＡＩ（ｉ−１）、ＡＩ（ｉ−２）−受信器始動時間（ＲＳＵ）〕であり、延長した電源オフ時間がパケット到着時間の周期的性質により達成される請求項１０に記載の方法。
【請求項１２】
受信器の「電源オフ」期間を増加することができるようにするための、コンピュータにおいて実行可能な命令を含む、コンピュータ読取可能な記録媒体であって、前記命令が、
（ａ）無線通信システムの移動体装置においてパケット到着を待ち、
（ｂ）Ｐすなわち予想されるパケット到着時間に対して実際のパケット到着時間〔ＡＩ（ｉ）を比較し、
（ｃ）省電力ポーリング（ＰＳＰ）モードの状態が、「０」すなわち使用不能、「１」すなわち問題がある状態、或いは「２」使用可能のいずれであるかを判断し、
（ｄ）前記実際のパケット到着時間ＡＩ（ｉ）が予想されるパケット到着間隔（Ｐ）に基づく予想されるパケット到着時間に近づかず、かつ前記ＰＳＰモードが０又は１であれば、ステップｂに戻り、前記ＰＳＤＰモードが２であれば、電源オフ時間を減少させ、
（ｅ）前記実際のパケット到着時間ＡＩ（ｉ）が前記予想されるパケット到着時間に近づく場合に、前記ＰＳＰモードの状態を判断し、
（ｆ）前記ＰＳＰモードが１又は２である場合に、ステップａに戻り、
（ｇ）前記ステップａ〜ｆの結果についての統計的分析に応じて延長した電源オフ時間を計算する、
作動を行わせるものであることを特徴とするコンピュータ読取可能な記録媒体。
【請求項１３】
前記命令は、さらに、（ｈ）前記ＰＳＰモードの状態が２すなわち使用可能であり、かつ、前記実際のパケット到着時間が前記予想されるパケット到着時間に近づいていない場合には前記「電源オフ」時間を僅かな値だけ減少させ、前記ＰＳＰ状態が０であれば次のパケットを待ち、或いは、前記ＰＳＰモードが「１」であって望ましいパケット間隔をもたない場合には次のパケットを待つ作動を行わせることを特徴とする請求項１２に記載のコンピュータ読取可能な記録媒体。
【請求項１４】
前記命令は、さらに、（ｉ）前記実際のパケット到着時間ＡＩ（ｉ）が前記予想されるパケット到着時間に近づき、前記ＰＳＰモードが「１」又は「２」である場合に、次のパケットの到着を待つ作動を行わせることを特徴とする請求項１３に記載のコンピュータ読取可能な記録媒体。
【請求項１５】
前記ＰＳＰの状態が０の場合において、前記延長した電源オフ時間が〔Ｐ−標準偏差（ＡＩ（ｉ）、ＡＩ（ｉ−１）、ＡＩ（ｉ−２）−受信器始動時間（ＲＳＵ）〕であり、延長した電源オフ時間がパケット到着時間の周期的性質により達成される請求項１２に記載のコンピュータ読取可能な記録媒体。
【発明の詳細な説明】
【０００１】
【発明の属する技術分野】
本発明は、無線通信ネットワーク、作動方法及びプログラム製品に関する。より具体的には、本発明は、無線ＬＡＮのための改良された省電力機能のための方法、システム、及びプログラム製品に関する。
【０００２】
【従来の技術】
現在のＩＥＥＥ８０２．１１規格において、ボイス・オバー・インターネット・プロトコル（ＶｏＩＰ）電話及び他のマルチメディアデバイスは、２つの動力モードで作動する。すなわち、移動体がトラフィックを聞く能動的すなわち連続覚醒モード（ＣＡＭ）及び移動体が移動中に単に待機モードのままであるスリープすなわち省電力モード（ＰＳＭ）である。移動体装置は、もっぱらこの一方又は他方のいずれかの状態にある。電話にアドレス指定された非音声パケットはいつでも届く可能性があるので、通話の全持続時間中無線を受信モードのままにしておかなければならないことが、１つの作動上の問題である。このパケットは、通話を終了させるデータ列、或いは電話で実行する他のデータアプリケーションのためのデータ列を含む可能性がある。メッセージを落とすことはできない。ＰＳＭモードでもたらされる待ち時間が長過ぎて、音声の遅延を容認できる程度に維持することができないので、電話をＰＳＭモードで作動することはできない。従って、受信モード中、相当な電力消費が生じることになる。
【０００３】
通話がＶｏＩＰ電話でなされるとき、装置は圧縮されたデジタル音声（或いは、おそらくはビデオ）を含むパケットを送受信する。このパケットは非常に小さく（１００バイトまでくらい）、周期的ベースで送受信される。Ｇ．７２９圧縮を用いる典型的なＶｏＩＰ通話のためには、１２０バイトのパケットが、２０から４０ミリセカンド毎に送信及び／又は受信される。１メガビットでさえ、このパケットの空中の持続時間は１ミリセカンドより小さい。より高いデータ転送速度では、持続時間はさらに小さい。受信機は、次の音声パケットがある一定の間隔より前に現れないことを知っているので、音声パケット間の間隔の間に、受信装置の電源をオフにできることが望ましい。このような場合、受信機は、その時間の９０％まで電源をオフにでき、目ざましい省電力になるであろう。現在及び将来のデバイスにおいて、ＷＬＡＮ無線の電力消費は、受信モードにおいてさえ、ＤＳＰｓ及びＣｏｄｅｃｓのような他のデジタル回路よりずっと大きく、よって、たとえデジタル回路が活動的であり続けても、省力が生ずる。無線通信ネットワークにおける移動体及び端末装置の省電力容量を更に向上させることが、当技術分野における進歩となるであろう。
【０００４】
無線通信ネットワークにおける省電力に関する従来技術は、次のものを含む。（Ａ）１９９５年１１月７日付けで付与された米国特許第５，４６５，３２１号は、サーバー及び複数の移動体無線ステーションを含む無線ローカルエリアネットワークシステムを開示しており、サーバは、ネットワークシステムにおけるステーションのテーブルを活動的に維持し、かつステーションの送信活動を監視する。所定時間の間ステーションから活動が検知されないと、ステーションからの応答を要求する一連の監視者メッセージが送られる。ステーションは電池式であり、メッセージを送信又は受信するように「覚醒」状態、或いは、低い電力消費のスリープ状態で作動する。ステーションは、少なくとも一つの監視者メッセージを受信するために、適時にスリープ状態から覚醒状態に戻り、よって、ステーションが活動的なステーションのテーブルから望ましくないログアウトをすることを回避する。
【０００５】
（Ｂ）１９９９年１２月１４日付けで付与された米国特許第６，００２，９１８号は、移動体のローカルエリア無線ネットワークを備えた通信ネットワークを開示しており、該通信ネットワークは、内蔵されたコンピュータに接続され、かつ、互いに接続された複数のアクセスポイントと、複数の移動体装置とを含み、各々の移動体装置はアクセスポイントと結合されるように配置される。移動体装置は、最上品質の信号強度及びローディング要因の基準に基づいて関連付けるのに最も望ましいアクセスポイントを周期的に走査し、識別するように配置される。移動体装置が所定のエリアから離れようとしていることを識別するために、指向性アンテナを有するアクセスポイントが、隣接する出口点に配置され、移動体装置が付近にあることを検知する。各々の移動体装置は、該装置及びホストの双方に既知のコード化形式で情報を送信する能力を含むページング機能、及び省電力機能を含む。
【０００６】
（Ｃ）２０００年５月２３日付けで付与された米国特許第６，０６７，２９７号は、無線通信システム、具体的には、少なくとも２つの移動体装置を含む無線ＬＡＮを開示しており、その移動体装置の一つは、組み込まれたアクセスポイントの能力をサポートするように構成されたアダプタカードと、ネットワークにおける他方の移動体装置に関する現在状態の情報とシステムを省電力ポーリングモードで作動させるメッセージ送信列を保持するための関連テーブルを含んでいる。別の態様によると、この発明は、ローミング移動体装置を含む無線通信システムに関する。移動体装置が第１アクセスポイントから第２アクセスポイントへ移動するとき、該移動体装置がパケットを幹線に送信したときに、該第１アクセスポイントはようやく移動を認識するようになる。
【０００７】
【発明が解決しようとする課題】
従来技術はいずれも、ＣＡＭとＰＳＭにおいて同時に作動し、かつＰＳＭの省電力利点を持ちながらＣＡＭモードの利点となる低い待ち時間を備えるＩＥＥＥ８０２．１１の無線ローカルエリアネットワーク（ＷＬＡＮ）における移動体受信機について開示してはいない。
【０００８】
【課題を解決するための手段】
無線データ通信システムは、連続覚醒モード（ＣＡＭ）及び延長した省電力モード（ＰＳＭ）で、システムが同時に作動することを可能にする、改良された省電力機能を有する。第１ステーションすなわち移動体装置は、音声又はデータのパケット通信をサポートするためのアクセス装置として構成された第２ステーションに連結されており、省電力モード（ＰＳＭ）においては、音声パケットはＣＡＭモードで送信され、他のパケットは、アクセスポイントによってバッファリングされ、第１ステーションが求めるまで保留される。アクセスポイントにおける監視装置は、送信された全てのパケットを監視し、ＣＡＭ又はＰＳＭモードに応じてステーションへのパケットを分類する。音声パケットは、ステーションへ送り出される。他のパケットは、アクセスポイントに格納される。パケットの到達速度は、伝播特性及び処理装置によってもたらされたランダムなパケットの遅延のために、送信速度が変わることがある。パケットの遅延は、アルゴリズムにおいて第１ステーションにより考慮され、受信機の電源をオフにできる標準安全期間を判断し、延長する。このアルゴリズムは、（ａ）ｉ番目の実際のパケット到達時間［ＡＩ（ｉ）］をＰすなわち予想される到達時間と比較するステップと、（ｂ）近いか又は「イエス」である場合には、音声ＰＳＰモードの状態を「０」すなわち使用不可、使用可能であるが問題がある状態の「１」、或いは使用可能な「２」として判断するステップと、（ｃ）もし「０」であれば、パケット間の電源オフ時間を、[Ｐ−連続するパケット到達時間ＡＩ（ｉ、ｉ＋１、ｉ＋２）の標準偏差−電源を入れた後受信側が安定するまでの時間]として計算し、計算後に次のパケットを待つステップと、（ｄ）もし音声ＰＳＰモードが「１」或いは「２」であれば、次のパケットの到達を待つステップとを備え、もし（ｂ）が「ノー」であれば、ＶＳＰモードの状態を、「０」、「１」、又は「２」として判断し、もし「０」であれば、次のパケットを待ち、或いは、もしＶＳＰモードが使用不能である「１」であり、かつ望ましいパケット間隔が「０」であれば、次のパケットの到達を待ち、また、ＶＳＰモードが使用可能な「２」であれば、電力オフ時間をわずかな量だけ減少させる。音声パケットがない状態では、ステーションをフルタイム受信モードに戻し、アルゴリズムを再び開始させ、遅延を判断し、それに応じて電力オフ時間を調整するものとなる。
【０００９】
【発明の実施の形態】
本発明は、添付の図面と関連した好ましい実施の形態の詳細な説明により、更に理解されるであろう。
図１において、無線ＬＡＮ１００は、地理的エリア１１６及び１１８内に固定アクセスポイント（ＳＡＰ）１１２、１１４を含み、これらアクセスポイントは、ステーションすなわち移動体装置（ＭＵ）１２０、１２２及び１２４にメッセージを送信し、該移動体装置（ＭＵ）からメッセージを受信する。８０２．１１規格は、アクセスポイントを、地理的エリア内のステーションに対する分配システムへのインターフェースを提供するアドレス指定可能なステーションと定義する。アクセスポイントは、典型的にはＰＢＸ又は通常の電話システムであるホスト１２６に接続され、該ホストは、ＩＰネットワーク１２８に連結され、該ＩＰネットワークは、ステーションがＩＰネットワークのサービス対象のユーザと通信することを可能にする。ＩＰネットワークと対話する移動体ネットワークについての説明は、２００１年に米国ニューヨーク州ニューヨーク所在のＪｏｈｎ  Ｗｉｌｅｙ  ａｎｄ  Ｓｏｎｓ社により出版された、Ｙ．Ｌｉｎ他によるテキスト「無線及び移動体ネットワーク・アーキテクチャ」（ＩＢＮ０４７１−３９４９２−０）第１６章に述べられており、引用により全てここに組み入れる。
【００１０】
ＩＥＥＥ８０２．１１は、無線ローカルエリアネットワーク用の規格を定めており、その詳細は、１９９９年米国ニューヨーク州ニューヨークで、電気電子技術者協会（ｔｈｅ  Ｉｎｓｔｉｔｕｔｅ  ｏｆ  Ｅｌｅｃｔｒｏｎｉｃ  Ｅｎｇｉｎｅｅｒｓ）により出版された、Ｖ．Ｏ’Ｈａｒａ及びＡ．Ｐｅｔｒｉｃｋによるテキスト「ＩＥＥＥ８０２．１１ハンドブック−設計者の手引き」（ＩＳＢＮ０−７３８１−１８５５−９）第８章に述べられており、また、１９９９年、ＭａｃＭｉｌｌｉａｎ  Ｔｅｃｈｎｉｃａｌ  Ｐｕｂｌｉｓｈｉｎｇ社により出版された、Ｊ．Ｇｉｅｒによるテキスト「無線ＬＡＮ：相互運用可能なネットワークの実行」（ＩＢＮ９８−８５４９８）第４章に述べられており、これらは、引用により全てここに組み入れる。８０２．１１の消費電力管理機能は、インストールされた初期設定ルーチンを用いてアクセスポイント及び無線を省電力モードに設定する。アクセスポイントは、ネットワークに送られたＭＡＣヘッダーにおけるフレーム制御フィールドを監視することによって、現在省電力モードで作動している移動体装置の記録を保存する。アクセスポイントは、移動体装置にアドレス指定されたパケットをバッファリングし、該移動体装置が活動状態に戻るとき、又は該移動体装置がパケットを要求するとき、バッファリングされたパケットを適用可能な移動体装置に転送する。移動体装置が、ＭＡＣフレームのフレーム制御フィールドにおいて消費電力管理のバイトを切り替えることにより活動状態にあることを示すので、アクセスポイントは、該移動体装置がいつ覚醒しているかを知る。移動体装置は、アクセスポイントにより周期的に送られるビーコンに耳を傾けることによって、フレームがアクセスポイントにバッファリングされていることを知ることができる。ビーコンは、アクセスポイントにバッファリングされているフレームを有するステーションのトラフィック表示マップ（ＴＩＭ）を持つことになる。ステーションは、省電力ポール（ＰＳＰ）フレームを用い、アクセスポイントにバッファリングされたパケットを送るように通知する。無線ＬＡＮの作動の更なる詳細については、上述のテキスト「無線ＬＡＮ：相互運用可能なネットワークの実行」に述べられている。
【００１１】
ＩＥＥＥ８０２．１１プロトコルのもとで作動する無線ローカルエリアネットワークの基礎について述べてきたが、省電力機能の詳細について述べる前に本発明の概要を説明することが適当であると思われる。
【００１２】
図１において、アクセスポイント（ＳＡＰ）１１２、１１４は、ステーションすなわち移動体装置（Ｍｕ）１２０、１２２、１２４にアドレス指定されたトラフィックを、即座に送り出されなければならないもの、及び、ＭＵに求められるまで保持することができるもの、の２つの基本カテゴリーに分類する。この分類を行うことができる幾つかの異なるアルゴリズムがある。そのアルゴリズムは、ＩＥＥＥ８０２．１ｐ／ｑ優先タグ／レベルに基づくもの、ＭＡＣ、ＩＰ、ＵＤＰ、及び／又はＴＣＰアドレス指定の特定の組み合わせに基づくもの、或いはパケット内の種々のフィールドの内容に基づくもの、或いはこれらの方法のあらゆる組み合わせに基づくものとすることができる。基本的な目的は、トラフィックを２つのカテゴリーに分けることである。いったん分類が行われると、ＳＡＰはパケットを次のように送る。すなわち、即座に送り出されなければならないデータは、ＭＵが連続覚醒モードにあるときにＳＡＰが現在データを扱うのと全く同様に送り出される。バッファリングすることができるデータは、ＭＵが他のモード、すなわち省電力モードにあるときにＳＡＰがデータを扱うのと全く同様に扱われる（つまり、ビットがビーコンのＴＩＭフィールドに設定され、ＭＵは、データが必要であると判断するときにデータをポーリングする）。このモデルにおいて、音声パケットはＣＡＭパケットとして扱われ、即座に送り出される。全ての他のパケットは、ＰＳＭパケットとして扱われる。
【００１３】
ＭＵが、ＳＡＰがこのような方法でＭＵへのデータを取り扱っていることを知れば、ＭＵは音声トラフィックの周期的性質を有利に利用することができる。非ＣＡＭパケットは、ＭＵによって決められる間隔で、通常の省電力ポーリング（ＰＳＰ）アルゴリズムを介してＳＡＰから取り出される。ＣＡＭパケットについては、ＭＵは、ＣＡＭパケット間の間隔を測定し、予想される音声パケット間の間隔の間に重要なデータパケットを失う心配なく受信機を停止することができる安全期間を計算する測定装置（図示せず）を含む。省電力すなわち「スリープ」モードにあるとき、測定装置はまた、ビーコン又は他の８０２．１１のコンセプトに耳を傾けることなく、ＭＵがいつ覚醒できるかを、予想されるパケット到達時間に基づいて判断することもできる。
【００１４】
このモデルの重要な要素はアルゴリズムであり、該アルゴリズムによって、ＭＵは、音声転送の間、いつ、どの位の長さ受信機の電源をオフにすべきかどうかを判断する。音声は規則的な間隔で送信されるが、ネットワークが任意の遅延をもたらすので、到達速度は送信速度とは幾分変わることがある。この遅延はパケットによって異なるが、長期的にみれば、送信及び受信速度は同じになる。ＭＵは、受信機にとって最適な電源オフ時間で到達するように、到達速度における「ジッタ」を見積もらなければならない。長すぎる値は、パケットが失われる結果になる。短すぎる値は、過度の電力消費につながる。測定装置は、受信機を停止するための安全期間を判断するときに、到達するパケットに関連する「ジッタ」を考慮に入れる。安全期間を判断するためには、多数の実行可能なアルゴリズムがある。
【００１５】
図２に示される一つの実施形態において、ＭＵが多数の音声パケット受信しなかった後に、又はステップ２０４における音声送信の中止に続いて、ステップ２０２においてプロセス２００が始められる。電話は、ステップ２０６において、予想される音声パケットの間隔に基づく「Ｘ」時間の間は、受信機の電源をオフにしない。ＭＵは、通話設定プロセスから、音声パケット間の予想される到達間隔を知り、ステップ２０８において、実際の到達時間とそれに関連するパケットの「ジッタ」を初めに監視する。ステップ２１０において、幾つかの数のパケットを受信した後、ＭＵは、パケット到達時間の統計的分析に基づいて、受信機の電源をオフにすることができる安全期間の予測をする。その期間は、あらゆる測定された到達速度の「ジッタ」を伴うパケットであっても、受信機がそれを聞くことができる期間である。また、組み込まれた幾つかの安全要因も存在する。ステップ２１２において、ＭＵが受信機の電源オフモードでいったん作動し始めると、ＭＵはステップ２１４において到達「ジッタ」を監視し続け、ステップ２１０において必要とされる電源オフ時間を調整する。ステップ２１６において音声パケットがない場合には、ＭＵをフルタイムの受信モードへ逆戻りさせ、プロセスはステップ２０２を再び開始する。さもなければ、プロセスはステップ２１０に戻り、ステップ２０８における監視された「ジッタ」時間に従って安全期間を調整する。無音抑制が通話中いずれかの当事者によって用いられなければ、プロセス２００は、ずっと良い状態で働くであろう。
【００１６】
図３に示される別の実施形態において、条件（Ａ）、（Ｂ）、及び（Ｃ）が適切である場合に、プロセス３００が始められる。ここで、（Ａ）は、ＬＴ（最後のパケットが到達した時間）がＣＴ（ミリセカンド単位の現在時間）に等しくなることであり、（Ｂ）は、音声ＰＳＰモード（ＶＳＰ）が、「０」すなわち使用不能、又は使用可能であるが問題がある可能性がある「１」、又は使用可能な「２」に等しい状態になること、そして（Ｃ）は、「ｎ」を３ないし４に等しいとした場合の最後の「ｎ」パケットの到達間隔であるＡＴ（ｎ）が、予想されるパケット到達間隔Ｐに比例する、という、多数の連続するパケットが到達する間隔について望ましい間隔が存在する状態である。表１は、プロセス３００におけるパラメータ及びその定義を次のとおり列挙する。
表１−ＰＳＰ音声アルゴリズムのための定数
Ａ）ＰＳＰ音声アルゴリズムのための定数
１）Ｐ：予想されるパケット到達間隔。
２）ｍｉｎＧｏｏｄＩｎｔｅｒｖａｌｓ：ＰＳＰ音声モードに入る前に要求される最小の数の望ましい間隔。
３）ＲＳＵＴｉｍｅ：電源を入れた後、無線が安定するために要する時間。
Ｂ）ＰＳＰ音声アルゴリズムのための変数
１）ＣＴ：システムタイマーに基づいたミリセカンド単位の現在時間。
２）ＬＴ：最後のパケットが到達した時間。
３）ＡＴ（ｎ）：最後の「ｎ」の実際のパケット到達間隔、ここで典型的には「ｎ」は３−４である。
４）「ｉ］：現在のパケットの数。
５）ＧｏｏｄＩｎｔｅｒｖａｌｓ：ＡＴ（ｉ）がＰに近い場合における連続するパケットの数
６）ＶｏｉｃｅＰＳＰＭｏｄｅ（ＶＳＰ）：「０」＝使用不能、「１」＝使用可能である問題がある可能性がある、及び「２」＝使用可能。
７）ＰｏｆｆＴｉｍｅ：無線の電源がオフにされる時間（常にＰより小さい）。
【００１７】
プロセス３００に入った後、ステップ３０２は次のパケットの到達を待つ。ステップ３０４は、ｉ番目のパケットに対し到達間隔を計算する。ステップ３０６は、ＬＴ＝ＣＴのときパケットの内容を処理する。ステップ３０８において、ｉ番目のパケットの到達時間[ＡＩ（ｉ）〕は、予想される到達時間としてのＰと比較される。もし、ｉ番目の実際のパケット到達時間が予想される到達時間に近い場合、ステップ３１０は音声ＰＳＰモードの状態を、ステップ３１２において「０」、すなわち使用不能、又はステップ３１４において使用可能であるが問題がある可能性がある「１」、又はステップ３１６において「２」すなわち使用可能、として判断する。
【００１８】
ステップ３１２において、望ましい間隔は、ステップ３１３において＋１だけ増加される。ステップ３１５において、望ましい間隔は最小の望ましい間隔と比較される。もし「ノー」であれば、プロセスはスタート（Ｓ）に戻る。もし「イエス」であれば、音声ＰＳＰモードはステップ３１７において「２」に設定され、電源オフ時間は、方程式[予想される到達時間としてのＰ−連続するパケット到達時間Ｉ（ｉ、ｉ＋１、ｉ＋２）の標準偏差−ＲＳＵ又は電源を入れた後受信機が安定するまでの時間｝を用いて計算され、プロセスはスタートへ戻る。
ステップ３１４又はステップ３１６において、音声ＰＳＰモードが「１」又は「２」である場合、プロセスはスタート（Ｓ）に戻り、次のパケットの到達を待つ。
【００１９】
ステップ３０８に戻り、音声ＰＳＰモードが「ノー」であれば、ステップ３２０において、ＶＳＰモードの状態が、ステップ３２２における「０」、ステップ３２４における「１」、又はステップ３２６における「２」として判断される。ＶＳＰモードがステップ３２２における「０」であれば、プロセスはスタート（Ｓ）に戻り、次のパケットを待つ。
ステップ３２４において、ＶＳＰモードが「１」であれば、ＶＳＰモードの状態が「０」であるかどうかをステップ３２５において判断し、ステップ３２７において望ましい間隔が「０」であるとし、そこでプロセスはスタートに戻る。
ステップ３２６において、ＶＳＰモードが「２」すなわち「使用可能」であれば、ＶＳＰモードは、ステップ３２９においてＶＳＰモードが１に等しいかどうかを再チェックされ、電源オフ時間は段階的減少によって、典型的にはステップ３３１における５単位（５）だけ減少され、プロセスはスタートに戻る。
【００２０】
本発明を好ましい実施形態に関連して説明してきたが、添付の請求項に定められるように、本発明の精神及び範囲から逸脱せずに種々の変更を加えることができる。
【図面の簡単な説明】
【図１】ＩＥＥＥ８０２．１１ＶｏＩＰ通信プロトコルを実行し、本発明の原理を組み入れる無線ローカルエリアネットワークの図である。
【図２】図１のシステムの省電力機能を調整する１つの方法を実行する流れ図である。
【図３】図１のシステムの省電力機能を調整する別の方法を実行する流れ図である。
【図１】
0004346862.tif 000002
【図２】
0004346862.tif 000003
【図３】
0004346862.tif 000004